(57)【要約】本発明は、無線通信システムにおいて信号を送信する方法及びそのシステムを提供する。この方法では、データストリームを少なくとも第１階層データストリームと第２階層データストリームとに区分し、少なくとも前記第１階層データストリームと前記第２階層データストリームをチャネルコーディングし、その後、前記チャネルコーディングされた第１階層データストリームと前記チャネルコーディングされた第２階層データストリームのうち少なくとも一つを拡散する。
2010524385.tif 000002
【特許請求の範囲】
【請求項１】
無線通信システムにおける信号送信方法であって、
データストリームを少なくとも第１階層データストリームと第２階層データストリームとに区分し、
少なくとも前記第１階層データストリームと前記第２階層データストリームをチャネルコーディングし、
前記チャネルコーディングされた第１階層データストリームと前記チャネルコーディングされた第２階層データストリームのうち少なくとも一つを拡散すること、
を含む、信号送信方法。
【請求項２】
前記チャネルコーディングされた第１階層データストリームと前記チャネルコーディングされた第２階層データストリームのうち少なくとも一つに、フーリエ変換を適用することをさらに含む、請求項１に記載の信号送信方法。
【請求項３】
前記第１階層は補完階層であり、
前記第２階層は基礎階層である、請求項１に記載の信号送信方法。
【請求項４】
前記第１階層データストリームは、Ｗａｌｓｈ−Ｈａｄｍａｒｄマトリクスを用いて拡散される、請求項１に記載の信号送信方法。
【請求項５】
前記第１階層データストリームは、擬似直交（ｑｕａｓｉ−ｏｒｔｈｏｇｏｎａｌ）関数を用いて拡散される、請求項１に記載の信号送信方法。
【請求項６】
前記チャネルコーディングされた第２階層データストリームを、恒等マトリクスを用いて拡散することをさらに含む、請求項４に記載の信号送信方法。
【請求項７】
前記チャネルコーディングされた第２階層データストリームを、Ｗａｌｓｈ−Ｈａｄｍａｒｄマトリクスを用いて拡散することをさらに含む、請求項５に記載の信号送信方法。
【請求項８】
前記拡散チャネルコーディングされた第１階層データストリームと前記拡散チャネルコーディングされた第２階層データストリームのうち少なくとも一つに、電力制御、位相調整及びサブキャリアマッピングのうち少なくとも一つを適用することをさらに含む、請求項１に記載の信号送信方法。
【請求項９】
チャネル状態と伝送されるデータストリームのサービス品質要求量のうち少なくとも一つによって、前記変換された第１階層データストリームと前記変換された第２階層データストリームを伝送することをさらに含む、請求項２に記載の信号送信方法。
【請求項１０】
前記データストリームは、伝送モード拡張フィールドを持つフロー説明メッセージ（ｆｌｏｗ  ｄｅｓｃｒｉｐｔｉｏｎ  ｍｅｓｓａｇｅ）を含む、請求項１に記載の信号送信方法。
【請求項１１】
前記データストリームは、伝送モード拡張フィールドを持つフロー説明メッセージ（ｆｌｏｗ  ｄｅｓｃｒｉｐｔｉｏｎ  ｍｅｓｓａｇｅ）と一緒に送信される、請求項１に記載の信号送信方法。
【請求項１２】
前記データストリームは、制御チャネル伝送モード拡張フィールドを持つシステムパラメータメッセージを含む、請求項１に記載の信号送信方法。
【請求項１３】
前記データストリームは、前記制御チャネル伝送モード拡張フィールドを持つシステムパラメータメッセージと一緒に伝送される、請求項１に記載の信号送信方法。
【請求項１４】
無線通信システムにおける信号送信方法であって、
データストリームを少なくとも第１階層データストリームと第２階層データストリームとに区分し、
第２階層チャネルコーディングを用いて前記第１階層データストリームをチャネルコーディングし、
第１階層チャネルコーディングを用いて前記第２階層データストリームをチャネルコーディングし、
前記チャネルコーディングされた第１階層データストリームと前記チャネルコーディングされた第２階層データストリームのうち少なくとも一つを拡散すること
を含む、信号送信方法
【請求項１５】
前記拡散チャネルコーディングされた第１階層データストリームと前記拡散チャネルコーディングされた第２階層データストリームのうち少なくとも一つに、フーリエ変換を適用することをさらに含む、請求項１４に記載の信号送信方法。
【請求項１６】
前記第２階層チャネルコーディングを用いた前記第１階層データストリームのチャネルコーディング及び前記第１階層チャネルコーディングを用いた前記第２階層データストリームのチャネルコーディングは、
ストリーム−階層マッピング（ｓｔｒｅａｍ−ｔｏ−ｌａｙｅｒ  ｍａｐｐｉｎｇ）手法に依存する、請求項１４に記載の信号送信方法。
【請求項１７】
前記第１階層は補完階層であり、
前記第２階層は基礎階層である、請求項１４に記載の信号送信方法。
【請求項１８】
前記拡散チャネルコーディングされた第１階層データストリームと前記拡散チャネルコーディングされた第２階層データストリームのうち少なくとも一つに、電力制御、位相調整及びサブキャリアマッピングのうち少なくとも一つを適用することをさらに含む、請求項１４に記載の信号送信方法。
【請求項１９】
チャネル状態と伝送されるデータストリームのサービス品質要求量のうち少なくとも一つによって、前記変換された第１階層データストリームと前記変換された第２階層データストリームを伝送することをさらに含む、請求項１５に記載の信号送信方法。
【請求項２０】
無線通信システムにおける信号送信方法であって、
少なくとも第１データストリームを第１階層データストリームにチャネルコーディングし、第２データストリームを第２階層データストリームにチャネルコーディングし、
前記チャネルコーディングされた第１階層データストリームと前記チャネルコーディングされた第２階層データストリームのうち少なくとも一つを拡散し、
前記拡散チャネルコーディングされた第１階層データストリームと前記拡散チャネルコーディングされた第２階層データストリームのうち少なくとも一つに、電力制御、位相調整及びサブキャリアマッピングのうち少なくとも一つを適用すること、
を含む、信号送信方法。
【請求項２１】
前記第１階層は補完階層であり、
前記第２階層は基礎階層である、請求項２０に記載の信号送信方法。
【請求項２２】
無線通信システムにおける信号送信システムであって、
データストリームを少なくとも第１階層データストリームと第２階層データストリームとに区分し、
少なくとも前記第１階層データストリームと前記第２階層データストリームをチャネルコーディングし、前記チャネルコーディングされた第１階層データストリームと前記チャネルコーディングされた第２階層データストリームのうち少なくとも一つを拡散するプロセッサを含む、信号送信システム。
【請求項２３】
前記プロセッサは、
前記チャネルコーディングされた第１階層データストリームと前記チャネルコーディングされた第２階層データストリームのうち少なくとも一つに、フーリエ変換を適用する、請求項２２に記載の信号送信システム。
【請求項２４】
前記第１階層は補完階層であり、
前記第２階層は基礎階層である、請求項２２に記載の信号送信システム。
【請求項２５】
前記第１階層データストリームは、Ｗａｌｓｈ−Ｈａｄｍａｒｄマトリクスを用いて拡散される、請求項２２に記載の信号送信システム。
【請求項２６】
前記第１階層データストリームは、擬似直交（ｑｕａｓｉ−ｏｒｔｈｏｇｏｎａｌ）関数を用いて拡散される、請求項２２に記載の信号送信システム。
【請求項２７】
前記プロセッサは、前記チャネルコーディングされた第２階層データストリームを、恒等マトリクスを用いて拡散する、請求項２５に記載の信号送信システム。
【請求項２８】
前記プロセッサは、
前記チャネルコーディングされた第２階層データストリームを、Ｗａｌｓｈ−Ｈａｄｍａｒｄマトリクスを用いて拡散する、請求項２６に記載の信号送信システム。
【請求項２９】
前記プロセッサは、
前記拡散チャネルコーディングされた第１階層データストリームと前記拡散チャネルコーディングされた第２階層データストリームのうち少なくとも一つに、電力制御、位相調整及びサブキャリアマッピングのうち少なくとも一つを適用する、請求項２２に記載の信号送信システム。
【請求項３０】
前記プロセッサは、
チャネル状態と伝送されるデータストリームのサービス品質要求量のうち少なくとも一つによって、前記変換された第１階層データストリームと前記変換された第２階層データストリームを伝送する、請求項２３に記載の信号送信システム。
【請求項３１】
前記データストリームは、伝送モード拡張フィールドを持つフロー説明メッセージ（ｆｌｏｗ  ｄｅｓｃｒｉｐｔｉｏｎ  ｍｅｓｓａｇｅ）を含む、請求項２２に記載の信号送信システム。
【請求項３２】
前記データストリームは、伝送モード拡張フィールドを持つフロー説明メッセージ（ｆｌｏｗ  ｄｅｓｃｒｉｐｔｉｏｎ  ｍｅｓｓａｇｅ）と一緒に送信される、請求項２２に記載の信号送信システム。
【請求項３３】
前記データストリームは、制御チャネル伝送モード拡張フィールドを持つシステムパラメータメッセージを含む、請求項２２に記載の信号送信システム。
【請求項３４】
前記データストリームは、前記制御チャネル伝送モード拡張フィールドを持つシステムパラメータメッセージと一緒に伝送される、請求項２２に記載の信号送信システム。
【請求項３５】
無線通信システムにおける信号送信システムであって、
データストリームを少なくとも第１階層データストリームと第２階層データストリームとに区分し、第２階層チャネルコーディングを用いて前記第１階層データストリームをチャネルコーディングし、第１階層チャネルコーディングを用いて前記第２階層データストリームをチャネルコーディングし、前記チャネルコーディングされた第１階層データストリームと前記チャネルコーディングされた第２階層データストリームのうち少なくとも一つを拡散するプロセッサを含む、信号送信システム。
【請求項３６】
前記プロセッサは、
前記拡散チャネルコーディングされた第１階層データストリームと前記拡散チャネルコーディングされた第２階層データストリームのうち少なくとも一つに、フーリエ変換を適用する、請求項３５に記載の信号送信システム。
【請求項３７】
前記第２階層チャネルコーディングを用いた前記第１階層データストリームのチャネルコーディングと、前記第１階層チャネルコーディングを用いた前記第２階層データストリームのチャネルコーディングは、
ストリーム−階層マッピング（ｓｔｒｅａｍ−ｔｏ−ｌａｙｅｒ  ｍａｐｐｉｎｇ）手法に依存する、請求項３５に記載の信号送信システム。
【請求項３８】
前記第１階層は補完階層であり、
前記第２階層は基礎階層である、請求項３５に記載の信号送信システム。
【請求項３９】
前記プロセッサは、
前記拡散チャネルコーディングされた第１階層データストリームと前記拡散チャネルコーディングされた第２階層データストリームのうち少なくとも一つに、電力制御、位相調整及びサブキャリアマッピングのうち少なくとも一つを適用する、請求項３５に記載の信号送信システム。
【請求項４０】
前記プロセッサは、
チャネル状態と伝送されるデータストリームのサービス品質要求量のうち少なくとも一つによって、前記変換された第１階層データストリームと前記変換された第２階層データストリームを伝送する、請求項３６に記載の信号送信システム。
【請求項４１】
無線通信システムにおける信号送信システムであって、
少なくとも第１データストリームを第１階層データストリームにチャネルコーディングし、第２データストリームを第２階層データストリームにチャネルコーディングし、前記チャネルコーディングされた第１階層データストリームと前記チャネルコーディングされた第２階層データストリームのうち少なくとも一つを拡散し、前記拡散チャネルコーディングされた第１階層データストリームと前記拡散チャネルコーディングされた第２階層データストリームのうち少なくとも一つに、電力制御、位相調整及びサブキャリアマッピングのうち少なくとも一つを適用するプロセッサを含む、記載の信号送信システム。
【請求項４２】
前記第１階層は補完階層であり、
前記第２階層は基礎階層である、請求項４１に記載の信号送信システム。
【発明の詳細な説明】
【技術分野】
【０００１】
本発明は、無線通信システムにおける送信最適化手法に関するもので、特に、ブロードキャスト及びマルチキャストサービスに関する。
【背景技術】
【０００２】
一般に、ＦＬＯ（Ｆｏｒｗａｒｄ  Ｌｉｎｋ  Ｏｎｌｙ）技術は、ビデオを移動端末に配信する手法を提供する。ＦＬＯは、各セルで同一の無線周波数を使用し、このため、従来のセルラーシステムとは違い、ハンドオフが存在しない。また、基礎階層が補完階層と一緒に伝送される階層的変調接近が用いられる。基礎階層は、全体カバレッジ領域にある全ての移動端末を担当し、補完階層は、データソース（送信機）に接近した移動端末へより速いビデオフレーム率を提供する。階層方法は、サービスの適切な分解を許容する。
【０００３】
ＦＬＯ技術は、移動端末の容量を増加させ、コンテンツ配信コストを減少させるためにデザインされたマルチキャスト機能を備えた無線インタフェース（ａｉｒ  ｉｎｔｅｒｆａｃｅ）である。ＦＬＯ技術は、モバイルユーザにとっていつでも遅延無しでどこにでも、高品質ビデオ及びオーディオを視聴できるようにし、商品を検索及び購入したり、株価を閲覧できるようにする。多量の豊富なメディアコンテンツをマルチキャストするようにデザインされたため、ＦＬＯは、無線操作者（ｏｐｅｒａｔｏｒ）が一度に多くのモバイルユーザにクリップ及びストリーミングビデオに含まれたニュース、エンターテイメント及び情報化されたプログラミングを効率的な費用で配信できるようにする。ＦＬＯは、現在ネットワークに影響を与えることなく効率的で経済的にマルチメディアコンテンツを配布する技術を提供する。
【発明の概要】
【発明が解決しようとする課題】
【０００４】
したがって、モバイルユーザへのコンテンツ配信を改善する手法が要求される。
【課題を解決するための手段】
【０００５】
本発明は、無線通信システムで送信最適化のための方向を提示する。
【０００６】
本発明の追加的な利点及び長所は下記に説明され、部分的には下記の説明から明らかになり、または、本発明の実施から学習可能である。本発明の目的及び他の利点は、添付の図面の他に、下記の説明及び請求項から特に指摘された構造により実現及び獲得されることができる。
【０００７】
本発明の目的を達成するために、以下に記述されるように、本発明は、データストリームを、少なくとも第１階層データストリームと第２階層データストリームとに区分し、少なくとも前記第１階層データストリームと前記第２階層データストリームをチャネルコーディングし、前記チャネルコーディングされた第１階層データストリームと前記チャネルコーディングされた第２階層データストリームのうち少なくとも一つを拡散すること、を含む無線通信システムにおける信号送信方法及びそのための信号送信システムを提供する。
【０００８】
好ましくは、前記チャネルコーディングされた第１階層データストリームと前記チャネルコーディングされた第２階層データストリームのうち少なくとも一つにフーリエ変換が適用される。好ましくは、前記第１階層は補完階層であり、前記第２階層は基礎階層である。
【０００９】
前記第１階層データストリームは、Ｗａｌｓｈ−Ｈａｄｍａｒｄマトリクスを用いて拡散される。または、前記第１階層データストリームは、擬似直交（ｑｕａｓｉ−ｏｒｔｈｏｇｏｎａｌ）関数を用いて拡散される。
【００１０】
前記チャネルコーディングされた第２階層データストリームは、恒等マトリクスを用いて拡散される。または、前記チャネルコーディングされた第２階層データストリームは、Ｗａｌｓｈ−Ｈａｄｍａｒｄマトリクスを用いて拡散される。
【００１１】
本発明の一実施例として、電力制御、位相調整及びサブキャリアマッピングのうち少なくとも一つが、前記拡散チャネルコーディングされた第１階層データストリームと前記拡散チャネルコーディングされた第２階層データストリームのうち少なくとも一つに適用される。
【００１２】
本発明の他の実施例として、前記変換された第１階層データストリームと前記変換された第２階層データストリームは、チャネル状態及び伝送されるデータストリームのサービス品質要求量のうち少なくとも一つによって伝送される。
【００１３】
前記データストリームは、伝送モード拡張フィールドを持つフロー説明メッセージ（ｆｌｏｗ  ｄｅｓｃｒｉｐｔｉｏｎ  ｍｅｓｓａｇｅ）を含む、または、このメッセージと一緒に伝送される。また、前記データストリームは、制御チャネル伝送モード拡張フィールドを持つシステムパラメータメッセージを含む、または、該メッセージと一緒に伝送される。
【００１４】
発明のさらに他の実施例による、無線通信システムにおける信号送信方法及びそのためのシステムは、データストリームを少なくとも第１階層データストリームと第２階層データストリームとに区分し、第２階層チャネルコーディングを用いて前記第１階層データストリームをチャネルコーディングし、第１階層チャネルコーディングを用いて前記第２階層データストリームをチャネルコーディングし、前記チャネルコーディングされた第１階層データストリームと前記チャネルコーディングされた第２階層データストリームのうち少なくとも一つを拡散する。
【００１５】
フーリエ変換が、前記拡散チャネルコーディングされた第１階層データストリームと前記拡散チャネルコーディングされた第２階層データストリームのうち少なくとも一つに適用される。好ましくは、前記第２階層チャネルコーディングを用いた前記第１階層データストリームのチャネルコーディング及び前記第１階層チャネルコーディングを用いた前記第２階層データストリームのチャネルコーディングは、ストリーム−階層マッピング（ｓｔｒｅａｍ−ｔｏ−ｌａｙｅｒ  ｍａｐｐｉｎｇ）手法に依存する。より好ましくは、前記第１階層は補完階層であり、前記第２階層は基礎階層である。
【００１６】
本発明の一実施例においては、電力制御、位相調整及びサブキャリアマッピングのうち少なくとも一つが、前記拡散チャネルコーディングされた第１階層データストリームと前記拡散チャネルコーディングされた第２階層データストリームのうち少なくとも一つに適用される。
【００１７】
本発明の他の実施例において、前記変換された第１階層データストリームと前記変換された第２階層データストリームは、チャネル状態及び伝送されるデータストリームのサービス品質要求量のうち少なくとも一つによって伝送される。
【００１８】
本発明のさらに他の実施例によれば、無線通信システムにおける信号送信方法及びそのためのシステムは、少なくとも第１データストリームを第１階層データストリームにチャネルコーディングし、第２データストリームを第２階層データストリームにチャネルコーディングし、前記チャネルコーディングされた第１階層データストリーム及び前記チャネルコーディングされた第２階層データストリームのうち少なくとも一つを拡散し、前記拡散チャネルコーディングされた第１階層データストリーム及び前記拡散チャネルコーディングされた第２階層データストリームのうち少なくとも一つに、電力制御、位相調整及びサブキャリアマッピングのうち少なくとも一つを適用することを含む。好ましくは、前記第１階層は補完階層であり、前記第２階層は基礎階層である。
【００１９】
上記の包括的説明及び下記の詳細な説明はいずれも例示的で説明的なものであり、請求されたような本発明のさらなる説明を提供するためのものである。
【発明の効果】
【００２０】
本発明の無線通信システムで信号を伝送する方法及びそのためのシステムによれば、無線通信システムにおいてシステムが送信を最適化することが可能になる。
【図面の簡単な説明】
【００２１】
添付の図面は、本発明の理解を助けると共に本明細書に組み込まれて一部を構成するもので、本発明の原理を説明するための記述と共に本発明の実施例を例示する。図面を通じて同一の参照符号で表される本発明の特徴、構成要素及び様態は、本発明の実施例によって同一、等価、または類似な特徴、構成要素、または様態を示す。
【図１】ガウス白色雑音が付加されたブロードキャスティングチャネルで達成可能な送信率に関するグラフである。
【図２】本発明の一実施例による補完階層変調構造を示す図である。
【図３】本発明の一実施例によって送信の最適周波数効率を示すグラフである。
【図４】本発明の一実施例によるプリコーディングＯＦＤＭ送信機を示す図である。
【図５】本発明の一実施例によるスーパーフレーム構造を示す図である。
【図６】本発明の一実施例によるパイロット及びデータインタレーシング構造を示す図である。
【図７】本発明の一実施例によってＦＤＭパイロットへのインターレース割当を示す図である。
【図８】本発明の他の実施例によるスーパーフレーム構造を示す図である。
【図９】本発明の一実施例による階層的送信のためのビットインタリービング構造を示す図である。
【図１０】本発明の他の実施例による階層的送信のためのビットインタリービング構造を示す図である。
【図１１】本発明の一実施例によるマッピングをインタレーシングするスロットを示す図である。
【図１２】本発明の他の実施例による、マッピングをインタレーシングするスロットを示す図である。
【発明を実施するための形態】
【００２２】
本発明は、ブロードキャストマルチキャストサービスにおいて送信を最適化することに関するものである。
【００２３】
本発明の実施例によれば、ＦＬＯＡＩ（ｆｏｒｗａｒｄ  ｌｉｎｋ  ｏｎｌｙ  ａｉｒ  ｉｎｔｅｒｆａｃｅ）プロトコルを用いる通信システムには、Ｐ−ＯＦＤＭ（ｐｒｅｃｏｄｅｄ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ）手法と過積（ｏｖｅｒｌｏａｄｅｄ）伝送手法が提供される。本発明は、下位互換性と高い周波数効率を提供し、スケーブル（ｓｃａｌａｂｌｅ）な階層的コンテンツを配信するのに最適化されている。
【００２４】
ＯＦＤＭ（Ｏｒｔｈｏｇｏｎａｌ  ｆｒｅｑｕｅｎｃｙ  ｄｉｖｉｓｉｏｎ  ｍｕｌｔｉｐｌｅｘｉｎｇ）は、ユーザデータをトーンまたはサブキャリア上へと変調するすることを可能にする変調手法である。各ＯＦＤＭシンボルの間に、情報を搬送するシンボルは各トーンに積載される。情報は、トーンの位相、振幅、または位相及び振幅の両方を調整することによってトーン上へと変調される。基本的に、トーンは、０または１のビット値を指示することが可能または不可能でありうる。ＱＰＳＫ（ｑｕａｄｒａｔｕｒｅ  ｐｈａｓｅ  ｓｈｉｆｔｉｎｇ  ｋｅｙｉｎｇ）またはＱＡＭ（ｑｕａｄｒａｔｕｒｅ  ａｍｐｌｉｔｕｄｅ  ｍｏｄｕｌａｔｉｏｎ）のいずれかが適用されることができる。ＦＬＯＡＩプロトコルはＱＰＳＫ、１６−ＱＡＭ及び階層的変調技術を使用することが支援される。階層ごとに適用される２ビット不均一１６−ＱＡＭ星座図（２階層ＱＰＳＫ信号）は、階層的変調に利用されることができる。
【００２５】
本発明によれば、ＱＰＳＫは、４個の位相でキャリアが伝送される変調手法であり、一つのシンボルから次のシンボルへの位相変化はシンボル当たり２ビットを符号化する。ＱＡＭは、２個の入力信号によって、搬送波も、主搬送波よりも９０°遅れた位相を持つ直角位相搬送波も、振幅変化によって情報が搬送波に符号化される変調手法である。１６−ＱＡＭでは、４個の相異なる位相と４個の相異なる振幅が全体１６個の相異なるシンボルのために使用される。
【００２６】
一実施例において、本発明は、ＦＬＯＡＩプロトコルのためのＳＢＣ（ｓｔｒｉｃｔｌｙ  ｂａｃｋｗａｒｄ  ｃｏｍｐａｔｉｂｌｅ）位相を提供する。好ましくは、補完階層的変調手法はＯＦＤＭと結合し、ＳＢＣ位相をなす。または、Ｐ−ＯＦＤＭ（ｐｒｅｃｏｄｅｄ  ＯＦＤＭ）手法は、ＳＢＣ位相のためのＯＦＤＭに代替されても良い。
【００２７】
他の実施例においては、本発明は、ＦＬＯＡＩプロトコルのためのＬＢＣ（ｌｏｏｓｅｌｙ  ｂａｃｋｗａｒｄ  ｃｏｍｐａｔｉｂｌｅ）位相を提供する。好ましくは、階層的変調手法は、Ｐ−ＯＦＤＭと結合し、ＬＢＣ位相をなす。
【００２８】
さらに他の実施例において、本発明は、ＦＬＯＡＩプロトコルのためのＮＧ（ｎｅｘｔ−ｇｅｎｅｒａｔｉｏｎ）位相を提供する、ここで、擬似直交Ｐ−ＯＦＤＭ手法が用いられることができる。
【００２９】
本発明のさらに他の実施例において、従来ＦＬＯＡＩプロトコルの修正が提供される。好ましくは、この修正は、フレーム構造、パイロットパターン及びビット／サブキャリアインタリービングと関連している。
【００３０】
本発明によれば、ＦＬＯ技術は、階層的変調手法の利用を支援する。中でも、階層的変調は、重畳（ｓｕｐｅｒｐｏｓｉｔｉｏｎ）コーディング手法の具現である。例えば、重畳コーディングにおいて、２つの異なるユーザのための符号化された信号は結合して同時に送信される。まず、より良い信号品質のユーザは、良くない信号品質のユーザのために意図した符号化された信号を復号し、これを当該結合している信号から除去し、自身のメッセージを復号する。良くない信号のユーザは、単に自身のメッセージを復号し、より良い信号品質のユーザのために意図した符号化された信号に割り当てられる電力を付加的ガウス雑音として扱う。
【００３１】
階層的変調によれば、ＦＬＯデータストリームは、例えば、全てのユーザが復号できる基礎階層（ＢＬ）と、高い信号対雑音比（ＳＮＲ）を利用できる領域で復号される補完階層（ＥＬ）とに区分される。従来、伝送率は一つのセルにおいて最も遠く離れている移動端末によって決定された。したがって、良い信号品質を持つ基地局近傍の移動端末は利得がないが、これは、良くない信号品質を持つ基地局から遠く離れた移動端末に適用される伝送率と同じ伝送率が適用されるためである。
【００３２】
階層的変調を用いることによって、異なるタイプの信号が、補完階層を用いて基地局近傍の移動端末に伝送されることができる。したがって、基地局近傍の移動端末は、補完階層を通じて高い伝送率で伝送されることができるので利得がある。
【００３３】
なお、ネットワークは、階層的変調手法を用いてより容易にアップグレードが可能である。これは、古い技術を用いる移動端末が既存技術を用いて信号を復号するのに対し、新しい移動端末は基礎階層及び補完階層両方を用いて信号を復号できるためである。
【００３４】
本発明の実施例によれば、異なる階層に伝送されるコンテンツは、多様なコーディング手法を用いてコーディングされる。例えば、ＡＭＲ−ＷＢ（Ａｄａｐｔｉｖｅ  Ｍｕｌｔｉ  Ｒａｔｅ−Ｗｉｄｅｂａｎｄ）とＥＶＲＣ−ＷＢ（Ｅｎｈａｎｃｅｄ  Ｖａｒｉａｂｌｅ  Ｒａｔｅ  Ｃｏｄｉｎｇ−Ｗｉｄｅｂａｎｄ）のような広帯域音声符号化（ｗｉｄｅ−ｂａｎｄ  ｓｐｅｅｃｈ）手法が利用されることができる。また、低い複雑度のＡＡＣと低いビット率に最適化され、ＭＰＥＧ−４の一部であるＨＥ−ＡＡＣ（Ｈｉｇｈ  Ｅｆｆｉｃｉｅｎｃｙ  Ａｄｖａｎｃｅｄ  Ａｕｄｉｏ  Ｃｏｄｉｎｇ）が使われることができる。また、Ｈ．２６４／ＭＰＥＧ−４ＡＶＣの拡張であるＳＶＣ（Ｓｃａｌａｂｌｅ  Ｖｉｄｅｏ  Ｃｏｄｉｎｇ）が利用されることができる。
【００３５】
本発明の実施例によれば、コンテンツは、２つ以上の階層に符号化されることができる。好ましくは、送信機は、チャネルまたはトラフィック容量／状態に基づいて、伝達される階層の個数を選択する。受信側では、コンテンツ再生機が復号をすることができないまたは補完階層を使用することができないとすれば、相変らず既存技術によって基礎階層データを再生することができる。
【００３６】
本発明によれば、ＦＬＯＡＩプロトコルは、階層的コンテンツに最適化される。本発明の一実施例において、階層的変調を具現する手法と重畳コーディングを具現する補完階層変調がＦＬＯＡＩを最適化するのに利用される。階層的変調も補完階層変調も白色ガウス雑音ではなく階層間干渉（ＩＬＩ）を考慮したものである。しかし、ＩＬＩは補完階層的変調で緩和される。
【００３７】
本発明のさらに他の実施例で、階層的変調とＰ−ＯＦＤＭを具現する手法は、ＦＬＯＡＩプロトコルを最適化するのに利用される。Ｐ−ＯＦＤＭで、周波数領域ではシーケンス拡散（ｓｐｒｅａｄｉｎｇ  ｓｅｑｕｅｎｃｅ）が利用され、少なくとも２階層拡散が適用される。また、例えば、周波数領域ではＷａｌｓｈ−Ｈａｄｍａｒｄマトリクスが適用される反面、時間領域ではフーリエ変換マトリクスが適用される。したがって、このような手法を使用することによって、高い周波数ダイバーシティ利得が周波数領域プリコーディングを具現することによって得られることができる。なお、上記の手法は、フィードバックを利用しないため、ブロードキャスティングアプリケーションに適している。上記手法と関連した属性は、低い複雑度と高い下位互換性を含む。
【００３８】
本発明のさらに他の実施例において、過積ＯＦＤＭと擬似直交Ｐ−ＯＦＤＭを具現する手法は、ＦＬＯＡＩプロトコルを最適化するのに利用される。このような手法を使用することによって、階層間干渉（ＩＬＩ）が低くなることができる。好ましくは、高い周波数ダイバーシティ利得が過積プリコーディングを用いて達成可能である。このような手法と関連した属性は、フィードバックを使用しないという点、階層間干渉（ＩＬＩ）の消滅による高い周波数効率、高い拡張性及び相対的に低い具現複雑度を含む。
【００３９】
図１は、ガウス白色雑音が付加されたブロードキャスティングチャネルで達成可能な送信率に関するグラフである。図１に示すように、最適化されたブロードキャスティングチャネル容量は、２個の信号を重ね合わせて達成可能である。特に、干渉除去重畳コーディングは、最近のＴＤＭ（ｔｉｍｅ  ｄｉｖｉｓｉｏｎ  ｍｕｌｔｉｐｌｅｘｉｎｇ）とＦＤＭ（ｆｒｅｑｕｅｎｃｙ  ｄｉｖｉｓｉｏｎ  ｍｕｌｔｉｐｌｅｘｉｎｇ）手法を凌駕する。上述したように、階層的変調は、重畳コーディングのための具現である。
【００４０】
図２は、本発明の一実施例による補完階層的変調手法を示す図である。図２を参照すると、例えば、基礎階層伝送は、ＱＰＳＫ変調を用いて変調され、補完階層伝送は、循環ＱＰＳＫ変調手法を用いて変調される。結果として、ＱＰＳＫ／ＱＰＳＫ階層的変調は、伝送信号に適用される。特に、従来の階層的変調プロトコルは、回転角が０の場合である。
【００４１】
図３は、本発明の一実施例によって送信の最適周波数効率を示すグラフである。図３を参照すると、雑音密度比に対するビット当たりエネルギーが１０ｄＢであることがわかる。
【００４２】
図４は、本発明の一実施例によるプリコーディングＯＦＤＭ送信機を示す図である。ここで、ＯＦＤＭ自体は周波数ダイバーシティ観点から最適化されない。したがって、低いチャネルコーディング率は、より高い周波数／時間ダイバーシティのために適用される。ＯＦＤＭ自体は、フェージングチャネルで周波数効率性の観点からも最適化されない。
【００４３】
したがって、本発明によれば、高い周波数ダイバーシティ利得及びスループット（ｔｈｒｏｕｇｈｐｕｔ）が、周波数領域プリコーディング手法を適用することによって達成可能である。好ましくは、周波数選択的フェージングによるチャネル容量損失は、図３に示すように、過積拡散によって復旧可能である。結果的に、低いチャネルコーディング率は不要である。また、直交または擬似直交コーディングを用いたプリコーディングによって、一つまたは複数階層コンテンツ伝達が最適化される。周波数領域プリコーディングの長所は、高い拡張性にある。
【００４４】
本発明の一実施例によれば、プリコーディングは、Ｗａｌｓｈ−Ｈａｄｍａｒｄマトリクスとスクランブリング（ｓｃｒａｍｂｌｉｎｇ）を適用することによって達成可能である。すなわち、プリコーディングされた信号のうち一つは、付加的に同一な任意のコードを用いてスクランブルされる。例えば、スクランブリングコードは、２信号を結合（ｃ＝ｃ１（ｗ０＋ｊｃ２）・（２ｋｗ１），  ｋ＝１，２，３，…）した拡張Ｓ（２）コード集合から選択される。
【００４５】
本発明の一実施例で、プリコーディングは、擬似直交関数（ＱＯＦ）を適用することによって達成可能である。好ましくは、追加的プリコーディングマトリクスは、Ｗａｌｓｈ−Ｈａｄｍａｒｄマトリクスと特定マスキング関数との積によって生成される。ここで、ＱＯＦの同一セットから導き出されるプリコーディングベクトルは互いに直交する。しかし、ＱＯＦを持つプリコーディングマトリクスは、一定で且つ予測可能な最小の最小−最大相互相関を持つ。
【００４６】
本発明によれば、恒等マトリクスがプリコーディングマトリクスとして用いられると、プリコーディングＯＦＤＭ構造は、本質的に一般ＯＦＤＭ構造と同じ構造を持つ。したがって、一般的なＱＰＳＫまたは１６ＱＡＭ変調手法が適用される。または、階層的ＱＰＳＫ／ＱＰＳＫ変調手法が適用されても良い。
【００４７】
本発明のよれば、例えば、Ｗａｌｓｈ−Ｈａｄｍａｒｄマトリクスのような直交マトリクスがプリコーディングマトリクスとして用いられる場合、一般的なＱＰＳＫまたは１６ＱＡＭが適用される。階層的ＱＰＳＫ／ＱＰＳＫ変調手法も適用されることができる。
【００４８】
本発明によれば、２階層プリコーディングマトリクスとしてフル−ランク（ｆｕｌｌ−ｒａｎｋ）擬似直交マトリクス（例えば、ＱＯＦ）が利用される場合、各階層ごとに一般的なＱＰＳＫまたは１６ＱＡＭ手法が適用されることができる。
【００４９】
図４に示すように、プリコーディング後に、電力制御、位相調整及びサブキャリアマッピングのうち少なくとも一つが、プリコーディングされたストリームに適用されることができる。その後、ＯＦＤＭが伝送に先立ってストリームに適用される。
【００５０】
表１は、本発明の一実施例によるＦＬＯブロードキャスティングシステムと結合する伝送モードテーブルである。
【００５１】
【表１】
2010524385.tif 000003
本発明の一実施例によると、Ｐ−ＯＦＤＭをＯＦＤＭと重ね合わせることによってＦＬＯＡＩプロトコルが最適化される。このような手法によれば、元来の基礎階層信号は変更されない。しかし、補完階層信号は、マルチレートＷａｌｓｈ−ＨａｄｍａｒｄプリコーディングＯＦＤＭにより変調される。
【００５２】
Ｐ−ＯＦＤＭをＯＦＤＭと重ね合わせることによって、完全な下位互換性が実現される。例えば、旧型機能を持つ移動端末（加入者機器）を新しい手法へのアップグレードなしに基礎階層信号を復調することができる。一方、新型移動端末（加入者機器）は補完階層信号を復調できるので、新しい手法で既に存在する移動端末機と共に存在することができる。
【００５３】
また、Ｐ−ＯＦＤＭをＯＦＤＭを重ね合わせることによって、より高い周波数効率が達成される。特に、階層間干渉は消滅されたり弱まったりする。したがって、基礎階層信号の復調は改善される。また、周波数領域拡散によって、補完階層信号の復調可能性が改善される。
【００５４】
本発明の一実施例において、４０００個の活性サブキャリアが各５００サブキャリアに一定に区分されたインタレース（ｉｎｔｅｒｌａｃｅ）８個に区分される。好ましくは、各ＯＦＤＭシンボルでは、一つのインタレース（２または６）は、チャネル測定のためのパイロット変調シンボルを搬送する。その他の７個のインタレースは、データ変調シンボルを搬送する。
【００５５】
また、伝送されるデータストリームの５００サブキャリア補完階層インタレースは、マルチレートプリコーディングマトリクスと一緒にプロコーディングされる。例えば、８個のデータストリームがそれぞれ、５００サブキャリア補完階層インタレースを持ちながら存在するとすれば、各５００サブキャリアインタレースは、次の６個のサブインタレースに区分される。１）２５６−サブキャリアサブ−インタレース；２）１２８−サブキャリアサブ−インタレース；３）６４−サブキャリアサブ−インタレース；４）３２−サブキャリアサブ−インタレース；５）１６−サブキャリアサブ−インタレース；及び６）４−サブキャリアサブ−インタレース。インタリービングの第２段階で、８個の５００サブキャリアインタレースは均等にインタリービングされる。
【００５６】
図５は、本発明の一実施例によるスーパーフレーム構造を示す図である。図６は、本発明の一実施例によるパイロット及びデータインタレーシング構造を示す図である。図７は、本発明の一実施例によってＦＤＭパイロットへのインタレース割当を示す図である。
【００５７】
図５〜図７を参照すると、ＦＤＭパイロットチャネルは、好ましくはＯＩＳのスロット０とデータチャネルに割り当てられる。使用されるインタレースは、スーパーフレームでＯＦＤＭシンボルインデックスに依存する（２（偶数）、６（奇数））。パイロットインタレースの変動は、モバイル端末でチャネル測定にかかる時間を２倍にする。
【００５８】
本発明の一実施例によれば、ＦＬＯＡＩプロトコルは、階層的変調とＰ−ＯＦＤＭによって最適化される。このような手法によれば、スーパーフレームとフレーム構造は変更されない。
【００５９】
本発明の一実施例で、データストリームの５００サブキャリアインタレースは、必要によっては複数の大きさが変更可能なプリコーディングマトリクスと一緒にプリコーディングされる。例えば、８個データストリームがそれぞれ５００サブキャリア補完階層インタレースを持ちながら存在するとすれば、各５００サブキャリアインタレースは、次の６個のサブインタレースに区分される。１）２５６−サブキャリアサブ−インタレース；２）１２８−サブキャリアサブ−インタレース；３）６４−サブキャリアサブ−インタレース；４）３２−サブキャリアサブ−インタレース；５）１６−サブキャリアサブ−インタレース；及び６）４−サブキャリアサブ−インタレース。それぞれの５００サブキャリアインタレースにおいてインタリービングの第１段階では、６個の５００サブキャリアインタレースは均等に分配され、それぞれ互いにインタレースされる。インタリービングの第２段階では、８個の５００サブキャリアインタレースが均等にインタリービングされる。
【００６０】
図８は、本発明の他の実施例によるスーパーフレーム構造を示す図である。本発明の一実施例において、単一アンテナモードでは、総ＦＦＴ大きさが４０９６であり、使用されるサブキャリアの総個数が４００であり、パイロットサブキャリアの総個数が４１６であり、データサブキャリアの総個数が３５８４（６４×５６）であり、データインタレース個数は７であり、各データインタレースの大きさはインタレース当たり５１２サブキャリアである。他の実施例において、多重アンテナモードでは、総ＦＦＴ大きさが４０９６個であり、使用されるサブキャリアの総個数が４０００であり、パイロットサブキャリアの総個数が５４４であり、データサブキャリアの総個数が３４５６（６４×５４）であり、データインタレース個数は９であり、各データインタレースの大きさはインタレース当たり３８４サブキャリアである。プリコーディングマトリクス大きさは、例えば、２×２、４×４、８×８、１６×１６、３２×３２、６４×６４、１２８×１２８、２５６×２５６及び５１２×５１２でありうる。特に、一般的なＯＦＤＭ手法は、１×１大きさのプリコーディングマトリクス大きさを持つとされる。
【００６１】
単一アンテナモードで、パイロットサブキャリアは、総４０００サブキャリアのうち４１６サブキャリアを使用する。偶数シンボルに関しては、パイロット０がサブキャリア０に位置する。次の奇数パイロットｉ＝２ｋ＋１がｉ−１パイロットから９サブキャリアだけ離れて位置し、ここで、ｋは０，１，２，…２０である。次の偶数パイロットｊ＝２ｋ＋２は、ｊ−１パイロットから１０サブキャリアだけ離れて位置する。
【００６２】
奇数シンボルに関しては、パイロット０がサブキャリア１３に位置する。次の奇数パイロットｉ＝２ｋ＋１個のｉ−１パイロットから９サブキャリアだけ離れて位置する。次の偶数パイロットｊ＝２ｋ＋２は、ｊ−１パイロットから１０サブキャリアだけ離れて位置する。
【００６３】
また、単一アンテナモードで、データサブキャリアは、７個の均等に区分されたインタレースにミックスされた３５８４個のサブキャリアを使用する。偶数シンボルに関しては、データサブキャリアは、サブキャリア１から始めて全ての既使用中のパイロットサブキャリアを飛ばす。偶数シンボルに関しては、データキャリアは、サブキャリア０から始めて全ての既使用中のパイロットサブキャリアを飛ばす。
デュアル伝送モードで、Ｔｘ  ０に関しては、パイロットサブキャリアは、総４０００個のサブキャリアのうち５４４個のサブキャリアを使用する。偶数シンボルに関しては、パイロット０がサブキャリア０に位置する。次の奇数パイロットｉ＝２ｋ＋１がｉ−１パイロットから７サブキャリアだけ離れて位置し、ここで、ｋは０，１，２，…２０である。ナル（ｎｕｌｌ）パイロットである次の偶数パイロットｊ＝２ｋ＋２は、ｊ−１パイロットから８サブキャリアだけ離れて位置する。
【００６４】
奇数シンボルに関しては、パイロット０がサブキャリア４に位置する。ナル（ｎｕｌｌ）パイロットである次の奇数パイロットｉ＝２ｋ＋１が、ｉ−１パイロットから７サブキャリアだけ離れて位置する。次の偶数パイロットｊ＝２ｋ＋２は、ｊ−１パイロットから８サブキャリアだけ離れて位置する。
Ｔｘ  １に関しては、パイロットサブキャリアは、総４０００個のサブキャリアのうち３６８個のサブキャリアを使用する。偶数シンボルに関しては、パイロット０がサブキャリア０に位置する。ナル（ｎｕｌｌ）パイロットである次の奇数パイロットｉ＝２ｋ＋１が、ｉ−１パイロットから７サブキャリアだけ離れて位置し、ここで、ｋは０，１，２，…２０である。ナル（ｎｕｌｌ）パイロットである次の偶数パイロットｊ＝２ｋ＋２は、ｊ−１パイロットから８サブキャリアだけ離れて位置する。
【００６５】
奇数シンボルに関しては、パイロット０がサブキャリア１３に位置する。次の奇数パイロットｉ＝２ｋ＋１が、ｉ−１パイロットから７サブキャリアだけ離れて位置する。ナル（ｎｕｌｌ）パイロットである次の偶数パイロットｊ＝２ｋ＋２は、ｊ−１パイロットから８サブキャリアだけ離れて位置する。
【００６６】
また、デュアル伝送において、データサブキャリアは、７個の均等に区分されたインタレースにミックスされた３０７２個のサブキャリアを使用する。偶数シンボルに関しては、データサブキャリアは、サブキャリア１から始めて全ての既使用中のパイロットサブキャリアを飛ばす。偶数シンボルに関しては、データキャリアは、サブキャリア０から始めて全ての既使用中のパイロットサブキャリアを飛ばす。
【００６７】
図９は、本発明の一実施例による階層的伝送のためのビットインタリービング構造を示す図である。図９を参照すると、ビットインタリービングされたＴＥＰ（ｔｒｕｎｃａｔｅｄ  ｅｘｐｏｎｅｎｔｉａｌ  ｐａｒｔｉｔｉｏｎ）は、一つ以上のデータスロットバッファに書き込まれる。ＱＰＳＫと１６−ＱＡＭ変調において、それぞれのデータスロットバッファは、１０００ビットと２０００ビットの大きさを持つ。階層的変調では、データバッファの大きさが２０００ビットである。好ましくは、基礎及び補完構成ビットは、バッファに書き込まれる前に再配列される。
【００６８】
図１０は、本発明の他の実施例による階層的伝送のためのビットインタリービング構造を示す図である。図１０を参照すると、ビットインタリービングされたＴＥＰは、一つ以上のデータスロットバッファに書き込まれる。ＱＰＳＫと１６−ＱＡＭ変調において、それぞれのデータスロットバッファは１０００ビットと２０００ビットの大きさを持つ。階層的変調では、データバッファの大きさが２０００ビットである。好ましくは、基礎及び補完構成ビットは、バッファに書き込まれる前に再配列される。
【００６９】
図１１は、本発明の一実施例によるマッピングをインタレースするためのスロットを示す図である。図１１を参照すると、マッピングは、ＯＦＤＭシンボルインデックス（１〜１１９９）に依存する。ここで、シンボルパターンは、１４個の連続したＯＦＤＭシンボルが反復される。好ましくは、選択的にＦＤＭパイロットのために２／６インタレースが利用される。他のインタレースは、データスロットに配分される。このようなマッピング手法によれば、各スロットが、同じ時間部分で、パイロットインタレースの次のインタレースに割り当てられることが保障される。また、マルチキャスト論理チャネル（ＭＬＣ）によって使用されるインタレースは、一つのＯＦＤＭシンボルからスーパーフレーム内の次のシンボルまで変化する。
【００７０】
図１２は、本発明の他の実施例によるマッピングをインタレースするためのスロットを示す図である。図１２を参照すると、マッピングは、ＯＦＤＭシンボルインデックス（１〜１１９９）に依存する。ここで、シンボルパターンは、７個の連続したＯＦＤＭシンボルが反復される。好ましくは、インタレース０は、ＦＤＭパイロットのために固定される。インタレース１乃至７は、データスロットに配分される。このようなマッピング手法によれば、各スロットが、同じ時間部分で、パイロットインタレースの次のインタレースに割り当てられることが保障される。また、マルチキャスト論理チャネル（ＭＬＣ）によって使用されるインタレースは、一つのＯＦＤＭシンボルからスーパーフレーム内の次のシンボルまで変化する。
【００７１】
本発明の一実施例によれば、ＦＬＯＡＩプロトコルは、ＳＶＣ（ｓｃａｌａｂｌｅ  ｖｉｄｅｏ  ｃｏｄｉｎｇ）のための階層的変調を適用することによって最適化される。一例として、ＦＬＯのためのＨ．２６４／ＡＶＣビデオコーディング手法の歪のない拡張がビデオの階層的伝送に提供される。ここで、基礎階層は、拡張されたプロファイル対応のＨ．２６４であり、ここで、標準Ｈ．２６４はそれを復号できる。一方、補完階層は、Ｈ．２６４ビットストリーム構文に従う。好ましくは、チャネル容量とビデオ拡張性を増加させるためにＢ−スライス（ｓｌｉｃｅ）がより使用される。
【００７２】
階層的変調は、各階層ごとにデータストリームの２階層伝送に、互いに異なるプロテクションを提供する。チャネルコーディングに加えて、プロテクションは、ＦＬＯによって定義されるＥＲによって制御される。本発明によれば、基礎階層ビデオストリームは、基礎階層ＱＰＳＫ変調手法で伝送され、補完階層ビデオストリームは補完階層ＱＰＳＫ変調手法で伝送される。したがって、その手法は、ＥＲが大きい時、例えば、ＥＲが６．２５の時によく動作する。また、該手法は、ＥＰが４．０の時に最適化され、この時、基礎階層カバレッジと補完階層カバレッジは互いに近接する。
【００７３】
本発明の一実施例によれば、ＦＬＯＡＩプロトコルは、ＳＶＣのための補完階層変調が適用されて最適化される。一例として、ＥＲが４．０であるＱＰＳＫ／ＱＰＳＫでは、基礎階層ＱＰＳＫに伝送電力の８０％が割り当てられるのに対し、補完階層ＱＰＳＫには、残り伝送電力２０％が割り当てられる。特に、基礎階層のカバレッジが補完階層のカバレッジと略同一であるにもかかわらず、基礎階層伝送の効率は相対的に低い。これは、基礎階層ＱＰＳＫが補完階層ＱＰＳＫからの階層間干渉から妨害されるためである。
【００７４】
したがって、本発明の一実施例では、補完階層ビデオストリームは基礎階層ＱＰＳＫに伝送され、基礎階層ビデオストリームは補完階層ＱＰＳＫに伝送される。また、０．２５の解像度を仮定した下に、ＥＲは、４．０から３．２５または３．０に減少する。これによって、基礎階層カバレッジと補完階層カバレッジが互いに近接するのを維持しながらも、全体階層変調手法だけでなく基礎階層ビデオストリームの電力効率は増加する。
【００７５】
本発明の一実施例で、ＥＲが３．０であるＱＰＳＫ／ＱＰＳＫ階層的変調において、基礎階層には伝送電力の７５％が割り当てられ、補完階層には伝送電力の２５％が割り当てられる。ここで、補完階層は、約１ｄＢ以内の差で基礎階層よりも微弱ではあれより良いカバレッジを持つ。また、ＥＲが３．０である補完階層は、ＥＲが４．０である補完階層よりも高い周波数効率を持つ。ＥＲが３．０である基礎階層は、ＥＲが４．０である基礎階層よりも低い周波数効率を持つ。しかし、ＥＲが３．０であるＱＰＳＫ／ＱＰＳＫを最適化することによって、より高い基礎階層周波数効率とより低い復調誤りが達成可能である。ＥＲが３．２５であるＱＰＳＫ／ＱＰＳＫ階層的変調では、ＥＲが３．０である場合と略同様な結論が導き出される。
【００７６】
下の表２は、本発明の一実施例によるＦＬＯＡＩプロトコルと結合して使用されるフロー説明（ｆｌｏｗ  ｄｅｓｃｒｉｐｔｉｏｎ）メッセージである。
【００７７】
【表２】
2010524385.tif 000004
表２に示すように、ＴｒａｎｓｍｉｔＭｏｄｅフィールドは、フローを伝達するマルチキャスト論理チャネル（ＭＬＣ）によって利用される伝送モードを指示する。ＭＬＣＩＤＳａｍｅＡｓＢｅｆｏｒｅが１に設定された場合、ネットワークはＴｒａｎｓｍｉｔＭｏｄｅフィールドを省略する。そうでなければ、ネットワークは、ＴｒａｎｓｍｉｔＭｏｄｅフィールドを、ＭＬＣを伝送するのに利用される物理階層モードと設定する。
【００７８】
下の表３及び表４は、本発明の他の実施例によるＦＬＯＡＩプロトコルと結合して使用されるフロー説明（ｆｌｏｗ  ｄｅｓｃｒｉｐｔｉｏｎ）メッセージである。
【００７９】
【表３】
2010524385.tif 000005
【００８０】
【表４】
2010524385.tif 000006
表３及び表４に示すように、ＴｒａｎｓｍｉｔＭｏｄｅＥｘフィールドは、フローを伝達するマルチキャスト論理チャネル（ＭＬＣ）によって利用される伝送モード拡張を指示する。ＭＬＣＩＤＳａｍｅＡｓＢｅｆｏｒｅが１に設定された場合、ネットワークは、ＴｒａｎｓｍｉｔＭｏｄｅＥｘフィールドを省略する。そうでなければ、ネットワークは、ＴｒａｎｓｍｉｔＭｏｄｅＥｘフィールドと物理階層モードを指示する以前ＴｒａｎｓｍｉｔＭｏｄｅパラメータとを、ＭＬＣを伝送するのに使用する。ＴｒａｎｓｍｉｔＭｏｄｅＥｘフィールド値の例は、下記の通りである。
００−制御チャネル伝送モードがＣｏｎｔｒｏｌＣｈａｎｎｅｌＴｘＭｏｄｅフィールドによって決定される；
０１−補完構造的復調が支援される；
１０−新しい穿孔（ｐｕｎｃｔｕｒｅ）パターンが適用される；及び、
１１−Ｒｅｓｅｒｖｅｄ。
【００８１】
表５及び表６はそれぞれ、本発明の一実施例によるＦＬＯＡＩプロトコルと結合して使用されるシステムパラメータメッセージのパート１及びパート２を表す。
【００８２】
【表５】
2010524385.tif 000007
【００８３】
【表６】
2010524385.tif 000008
表５及び表６を参照すると、ＣｏｎｔｒｏｌＣｈａｎｎｅｌＴｘＭｏｄｅフィールドは、下部構造と関連した制御チャネルの物理階層伝送モードを含む。このようなフィールドの値は、上記のＴｒａｎｓｍｉｔＭｏｄｅフィールドで定義されたのと同一である。好ましくは、ネットワークは、このフィールドを制御チャネルの伝送モードに設定する。
【００８４】
表７は、本発明の他の実施例によるＦＬＯＡＩプロトコルと結合して使用されるシステムパラメータを表す。
【００８５】
【表７】
2010524385.tif 000009
表７を参照すると、ＣｏｎｔｒｏｌＣｈａｎｎｅｌＴｘＭｏｄｅフィールドは、下部構造と関連した制御チャネルの物理階層伝送モードを含む。このようなフィールドの値は、上記のＴｒａｎｓｍｉｔＭｏｄｅフィールドで定義されたのと同一である。好ましくは、ネットワークは、このフィールドを制御チャネルの伝送モードに設定する。具体的値の例は、下記のようである。
００−制御チャネル伝送モードがＣｏｎｔｒｏｌＣｈａｎｎｅｌＴｘＭｏｄｅフィールドによって決定される；
０１−補完構造的復調が支援される；
１０−新しい穿孔（ｐｕｎｃｔｕｒｅ）パターンが適用される；及び、
１１−Ｒｅｓｅｒｖｅｄ。
【００８６】
本発明の具現において、構成がいずれもハードウェアで形成される、構成がいずれもソフトウェアで形成される、または、構成がハードウェア及びソフトウェア両方を含む形態で形成されることができる。ソフトウェア形態は、ファームウェア、常駐ソフトウェア、マイクロコードなどを含むが、必ずしもこれに限定されるわけではない。
【００８７】
さらに、本発明は、コンピュータと連結されたりコンピュータによって利用されたりするプログラムコードが含まれ、コンピュータで利用可能またはコンピュータで読み取り可能な媒体から読み込むことのできるコンピュータプログラム製品の形態とすることができる。本発明で開示された目的を達成するために、コンピュータで利用可能且つコンピュータで読み取り可能な媒体は、命令実行システム、装置と連結されたり、それによって利用されるプログラムを含む、記憶する、通信する、伝播する、または伝送するような如何なる装置にしても良い。
【００８８】
プログラムコードを記憶したり実行したりするのに適合するデータ処理システムは、システムバスを通じてメモリ構成要素と直接または間接的に連結される少なくとも一つのプロセッサを含むことができる。メモリ構成要素は、プログラムコードが実際に実行される間に動作するローカルメモリ、大容量記憶部、及び実行中に大容量記憶部から読み込むべき多くの時間を減らすために少なくともいくつかのプログラムコードの臨時記憶部を提供するキャッシュメモリを含むことができる。
【００８９】
他の構成要素はシステムに結合する。入出力部、Ｉ／Ｏ装置（キーボード、ディスプレイ装置、ポインティング装置などを含むが、必ずしもこれに限定されるわけではない。）は、システムに直接結合したり、Ｉ／Ｏコントローラを介在してシステムに結合する。ネットワークアダプタ（すなわち、モデム、ケーブルモデム、またはイーサネット（登録商標）カード）は、データ処理システムを他のデータ処理システム、遠隔プリンタまたは記憶部と、私設または公用ネットワークを介在して連結させるためにシステムと結合する。
【００９０】
ロジックコード、プログラム、モジュール、プロセス、方法及び各方法の個々の構成要素と関連した順序は例示に過ぎないという点は、当業者にとって自明である。本発明の具現において、本明細書で特別な言及がない以上、いかなる順序または並列的にしても良い。また、ロジックコードは、特定プログラム言語に関連したり制限したりすることなく、分散型または非分散型もしくは多重プロセッサ環境の下に、一つ以上のプロセッサで実行される一つ以上のモジュールを含む。
【００９１】
上述した方法は、集積回路チップの製造にも用いられることができる。生産された集積回路チップは、製造者により、ダイ形態の加工していないウエハ形態（すなわち、多数のパッケージングされていないチップを含む一つのウエハ）または一つのチップパッケージ形態で配布されることができる。後者の場合、チップは、シングルチップパッケージ（マザーボードに付着される銅線を含むプラスチックキャリアまたは他の上位レベルキャリアのような）に搭載される、または、マルチチップパッケージ（表面連結部または埋め込まれた連結部のいずれかまたは両連結部ともを有するセラミックキャリア）に搭載されることができる。
【００９２】
場合によっては、チップは、他のチップ、分離された回路構成要素、及び／または他の信号処理装置と一緒に、（ａ）マザーボードのような媒介製品、及び／または（ｂ）最終生成品の一部分として集積される。最終生成品は、集積回路チップを含むいかなる製品も可能であり、おもちゃ及び他の下位アプリケーションからディスプレイ装置、キーボードまたは他の入力装置、及び中央プロセッサを持つ向上したコンピュータ製品まで、いずれのものも可能である。
【００９３】
したがって、本発明は、添付した特許請求の範囲における精神及び思想内で改変可能であるということが理解できる。上記の説明は、本発明を開示された具体的な形態に制限または限定するためのものではない。したがって、これらの及び様々な改変、並びに開示された実施例の組み合わせはいずれも本発明の思想に含まれ、さらには、特許請求の範囲及びその均等物の全ての思想によって定義される。
【産業上の利用可能性】
【００９４】
本発明は、無線通信システムに適用可能である。
【図１】
2010524385.tif 000010
【図３】
2010524385.tif 000011
【図５】
2010524385.tif 000012
【図６】
2010524385.tif 000013
【図７】
2010524385.tif 000014
【図８】
2010524385.tif 000015
【図９】
2010524385.tif 000016
【図１０】
2010524385.tif 000017
【図１１】
2010524385.tif 000018
【図１２】
2010524385.tif 000019
【図２】
2010524385.tif 000020
【図４】
2010524385.tif 000021
【国際調査報告】
2010524385.tif 000022
2010524385.tif 000023